【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
各々が識別可能な複数種類の図柄を周期的に移動させることにより変動表示可能な複数の可変表示領域のそれぞれに表示結果を導出表示させることが可能な可変表示装置を備え、
遊技用価値を用いて１ゲームに対して所定数の賭数を設定することによりゲームが開始可能となるとともに、前記複数の可変表示領域の全てに表示結果が導出表示されたことにより１ゲームが終了し、前記複数の可変表示領域に導出表示された表示結果の組み合わせに応じて入賞が発生可能とされたスロットマシンであって、
所定の設定操作手段の操作に基づいて、遊技者にとっての有利度が異なる複数種類の許容段階のうちから、いずれかの許容段階を選択して設定する許容段階設定手段と、
少なくともいずれかの可変表示領域に表示結果が導出される前に、遊技者にとって有利な特別遊技状態への移行を伴う特別入賞及び該特別入賞以外の一般入賞を含む複数種類の入賞について発生を許容するか否かを決定する事前決定手段と、
前記複数の可変表示領域に表示結果をそれぞれ導出させるための導出操作手段と、
前記特別入賞のうちの第１の特別入賞が発生したときに第１の特別遊技状態に制御するとともに、前記第１の特別入賞とは異なる第２の特別入賞が発生したときに前記第１の特別遊技状態と有利度の異なる第２の特別遊技状態に制御する特別遊技状態制御手段と、
前記導出操作手段が操作されたときに、該導出操作手段に対応する可変表示領域の表示結果として予め定められた引込範囲内に位置する表示位置からいずれかの表示位置を前記事前決定手段の決定結果に基づいて導出させる制御を行う導出制御手段と、
前記特別入賞の発生を許容する旨が決定され、該特別入賞が発生しなかった場合に当該特別入賞の発生を許容する旨の決定を次ゲーム以降に持ち越す持越手段と、
を備え、
前記事前決定手段は、
同一ゲームにおける決定対象として、前記一般入賞のうち第１の一般入賞の発生を許容する旨を単独で決定する第１の一般決定、及び前記第１の一般入賞の発生を許容する旨及び前記第１の一般入賞と異なる第２の一般入賞の発生を許容する旨を同時に決定する第２の一般決定、前記第１の一般入賞の発生を許容する旨及び前記第１の特別入賞の発生を許容する旨を同時に決定する第１の特別決定、前記第１の一般入賞の発生を許容する旨、前記第２の一般入賞の発生を許容する旨及び前記第１の特別入賞の発生を許容する旨を同時に決定する第２の特別決定、前記第１の一般入賞の発生を許容する旨及び前記第２の特別入賞の発生を許容する旨を同時に決定する第３の特別決定、前記第１の一般入賞の発生を許容する旨、前記第２の一般入賞の発生を許容する旨及び前記第２の特別入賞の発生を許容する旨を同時に決定する第４の特別決定を行うことが可能であり、
同一ゲームにおいて前記第１の一般決定がなされる確率と前記第１の特別決定がなされる確率と前記第３の特別決定がなされる確率との合算確率に占める前記第１の特別決定がなされる確率と前記第３の特別決定がなされる確率との合算確率の比率、同一ゲームにおいて前記第２の一般決定がなされる確率と前記第２の特別決定がなされる確率と前記第４の特別決定がなされる確率との合算確率に占める前記第２の特別決定がなされる確率と前記第４の特別決定がなされる確率との合算確率の比率とのうち一方が他方の比率よりも高く、同一ゲームにおいて前記第１の特別決定がなされる確率と前記第３の特別決定がなされる確率との合算確率に占める前記第３の特別決定がなされる確率の比率、同一ゲームにおいて前記第２の特別決定がなされる確率と前記第４の特別決定がなされる確率との合算確率に占める前記第４の特別決定がなされる確率の比率のうち一方が他方の比率よりも高く、同一ゲームにおいて前記第１の一般決定がなされる確率と前記第２の一般決定がなされる確率と前記第１の特別決定がなされる確率と前記第２の特別決定がなされる確率と前記第３の特別決定がなされる確率と前記第４の特別決定がなされる確率との合算確率に占める前記第２の一般決定がなされる確率と前記第２の特別決定がなされる確率と前記第４の特別決定がなされる確率との合算確率の比率が、前記許容段階設定手段により設定された許容段階が前記複数種類の許容段階のうち第１の許容段階であるか、該第１の許容段階と有利度の異なる第２の許容段階であるか、に応じて異なる確率で前記第１〜４の特別決定を行い、
前記導出制御手段は、
前記第１の一般決定、前記第１の特別決定または前記第３の特別決定がなされた第１の条件が成立したときに、前記導出操作手段が操作され、該導出操作手段に対応する可変表示領域において前記予め定められた引込範囲内に前記複数の可変表示領域に跨って設定された複数のラインのうち第１のラインに特定の図柄組み合わせの構成図柄が停止する第１の表示位置及び前記複数のラインのうち第２のラインに前記特定の図柄組み合わせの構成図柄が停止する第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第１の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行い、
前記第２の一般決定、前記第２の特別決定または前記第４の特別決定がなされた第２の条件が成立したときに、前記導出操作手段が操作され、該導出操作手段に対応する可変表示領域において前記予め定められた引込範囲内に前記第１の表示位置及び前記第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第２の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行う
ことを特徴とするスロットマシン。
【請求項２】
各々が識別可能な複数種類の図柄を周期的に移動させることにより変動表示可能な複数の可変表示領域のそれぞれに表示結果を導出表示させることが可能な可変表示装置を備え、
遊技用価値を用いて１ゲームに対して所定数の賭数を設定することによりゲームが開始可能となるとともに、前記複数の可変表示領域の全てに表示結果が導出表示されたことにより１ゲームが終了し、前記複数の可変表示領域に導出表示された表示結果の組み合わせに応じて入賞が発生可能とされたスロットマシンであって、
所定の設定操作手段の操作に基づいて、遊技者にとっての有利度が異なる複数種類の許容段階のうちから、いずれかの許容段階を選択して設定する許容段階設定手段と、
少なくともいずれかの可変表示領域に表示結果が導出される前に、遊技者にとって有利な特別遊技状態への移行を伴う特別入賞及び該特別入賞以外の一般入賞を含む複数種類の入賞について発生を許容するか否かを決定する事前決定手段と、
前記複数の可変表示領域に表示結果をそれぞれ導出させるための導出操作手段と、
前記特別入賞のうちの第１の特別入賞が発生したときに第１の特別遊技状態に制御するとともに、前記第１の特別入賞とは異なる第２の特別入賞が発生したときに前記第１の特別遊技状態と有利度の異なる第２の特別遊技状態に制御する特別遊技状態制御手段と、
前記導出操作手段が操作されたときに、該導出操作手段に対応する可変表示領域の表示結果として予め定められた引込範囲内に位置する表示位置からいずれかの表示位置を前記事前決定手段の決定結果に基づいて導出させる制御を行う導出制御手段と、
前記特別入賞の発生を許容する旨が決定され、該特別入賞が発生しなかった場合に当該特別入賞の発生を許容する旨の決定を次ゲーム以降に持ち越す持越手段と、
を備え、
前記事前決定手段は、
同一ゲームにおける決定対象として、前記一般入賞のうち第１の一般入賞の発生を許容する旨を単独で決定する第１の一般決定、及び前記第１の一般入賞の発生を許容する旨及び前記第１の一般入賞と異なる第２の一般入賞の発生を許容する旨を同時に決定する第２の一般決定、前記第１の一般入賞の発生を許容する旨及び前記第１の特別入賞の発生を許容する旨を同時に決定する第１の特別決定、前記第１の一般入賞の発生を許容する旨、前記第２の一般入賞の発生を許容する旨及び前記第１の特別入賞の発生を許容する旨を同時に決定する第２の特別決定、前記第１の一般入賞の発生を許容する旨及び前記第２の特別入賞の発生を許容する旨を同時に決定する第３の特別決定、前記第１の一般入賞の発生を許容する旨、前記第２の一般入賞の発生を許容する旨及び前記第２の特別入賞の発生を許容する旨を同時に決定する第４の特別決定を行うことが可能であり、
同一ゲームにおいて前記第１の一般決定がなされる確率と前記第１の特別決定がなされる確率と前記第４の特別決定がなされる確率との合算確率に占める前記第１の特別決定がなされる確率と前記第４の特別決定がなされる確率との合算確率の比率、同一ゲームにおいて前記第２の一般決定がなされる確率と前記第２の特別決定がなされる確率と前記第３の特別決定がなされる確率との合算確率に占める前記第２の特別決定がなされる確率と前記第３の特別決定がなされる確率との合算確率の比率のうち一方が他方の比率よりも高く、同一ゲームにおいて前記第１の特別決定がなされる確率と前記第４の特別決定がなされる確率との合算確率に占める前記第４の特別決定がなされる確率の比率、同一ゲームにおいて前記第２の特別決定がなされる確率と前記第３の特別決定がなされる確率との合算確率に占める前記第３の特別決定がなされる確率の比率のうち一方が他方の比率よりも高く、同一ゲームにおいて前記第１の一般決定がなされる確率と前記第２の一般決定がなされる確率と前記第１の特別決定がなされる確率と前記第２の特別決定がなされる確率と前記第３の特別決定がなされる確率と前記第４の特別決定がなされる確率との合算確率に占める前記第２の一般決定がなされる確率と前記第２の特別決定がなされる確率と前記第３の特別決定がなされる確率との合算確率の比率が、前記許容段階設定手段により設定された許容段階が前記複数種類の許容段階のうち第１の許容段階であるか、該第１の許容段階と有利度の異なる第２の許容段階であるか、に応じて異なる確率で前記第１〜４の特別決定を行い、
前記導出制御手段は、
前記第１の一般決定、前記第１の特別決定または前記第４の特別決定がなされた第１の条件が成立したときに、前記導出操作手段が操作され、該導出操作手段に対応する可変表示領域において前記予め定められた引込範囲内に前記複数の可変表示領域に跨って設定された複数のラインのうち第１のラインに特定の図柄組み合わせの構成図柄が停止する第１の表示位置及び前記複数のラインのうち第２のラインに前記特定の図柄組み合わせの構成図柄が停止する第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第１の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行い、
前記第２の一般決定、前記第２の特別決定または前記第３の特別決定がなされた第２の条件が成立したときに、前記導出操作手段が操作され、該導出操作手段に対応する可変表示領域において前記予め定められた引込範囲内に前記第１の表示位置及び前記第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第２の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行う
ことを特徴とするスロットマシン。
【請求項３】
各々が識別可能な複数種類の図柄を周期的に移動させることにより変動表示可能な複数の可変表示領域のそれぞれに表示結果を導出表示させることが可能な可変表示装置を備え、
遊技用価値を用いて１ゲームに対して所定数の賭数を設定することによりゲームが開始可能となるとともに、前記複数の可変表示領域の全てに表示結果が導出表示されたことにより１ゲームが終了し、前記複数の可変表示領域に導出表示された表示結果の組み合わせに応じて入賞が発生可能とされたスロットマシンであって、
所定の設定操作手段の操作に基づいて、遊技者にとっての有利度が異なる複数種類の許容段階のうちから、いずれかの許容段階を選択して設定する許容段階設定手段と、
少なくともいずれかの可変表示領域に表示結果が導出される前に、遊技者にとって有利な特別遊技状態への移行を伴う特別入賞及び該特別入賞以外の一般入賞を含む複数種類の入賞について発生を許容するか否かを決定する事前決定手段と、
前記複数の可変表示領域に表示結果をそれぞれ導出させるための導出操作手段と、
前記特別入賞のうちの第１の特別入賞が発生したときに第１の特別遊技状態に制御するとともに、前記第１の特別入賞とは異なる第２の特別入賞が発生したときに前記第１の特別遊技状態と有利度の異なる第２の特別遊技状態に制御する特別遊技状態制御手段と、
前記導出操作手段が操作されたときに、該導出操作手段に対応する可変表示領域の表示結果として予め定められた引込範囲内に位置する表示位置からいずれかの表示位置を前記事前決定手段の決定結果に基づいて導出させる制御を行う導出制御手段と、
前記特別入賞の発生を許容する旨が決定され、該特別入賞が発生しなかった場合に当該特別入賞の発生を許容する旨の決定を次ゲーム以降に持ち越す持越手段と、
を備え、
前記事前決定手段は、
同一ゲームにおける決定対象として、前記一般入賞のうち第１の一般入賞の発生を許容する旨を単独で決定する第１の一般決定、及び前記第１の一般入賞の発生を許容する旨及び前記第１の一般入賞と異なる第２の一般入賞の発生を許容する旨を同時に決定する第２の一般決定、前記第１の一般入賞の発生を許容する旨及び前記第１の特別入賞の発生を許容する旨を同時に決定する第１の特別決定、前記第１の一般入賞の発生を許容する旨、前記第２の一般入賞の発生を許容する旨及び前記第１の特別入賞の発生を許容する旨を同時に決定する第２の特別決定、前記第１の一般入賞の発生を許容する旨及び前記第２の特別入賞の発生を許容する旨を同時に決定する第３の特別決定、前記第１の一般入賞の発生を許容する旨、前記第２の一般入賞の発生を許容する旨及び前記第２の特別入賞の発生を許容する旨を同時に決定する第４の特別決定を行うことが可能であり、
同一ゲームにおいて前記第１の一般決定がなされる確率と前記第２の特別決定がなされる確率と前記第４の特別決定がなされる確率との合算確率に占める前記第２の特別決定がなされる確率と前記第４の特別決定がなされる確率との合算確率の比率、同一ゲームにおいて前記第２の一般決定がなされる確率と前記第１の特別決定がなされる確率と前記第３の特別決定がなされる確率との合算確率に占める前記第１の特別決定がなされる確率と前記第３の特別決定がなされる確率との合算確率の比率のうち一方が他方の比率よりも高く、同一ゲームにおいて前記第２の特別決定がなされる確率と前記第４の特別決定がなされる確率との合算確率に占める前記第４の特別決定がなされる確率の比率、同一ゲームにおいて前記第１の特別決定がなされる確率と前記第３の特別決定がなされる確率との合算確率に占める前記第３の特別決定がなされる確率の比率のうち一方が他方の比率よりも高く、同一ゲームにおいて前記第１の一般決定がなされる確率と前記第２の一般決定がなされる確率と前記第１の特別決定がなされる確率と前記第２の特別決定がなされる確率と前記第３の特別決定がなされる確率と前記第４の特別決定がなされる確率との合算確率に占める前記第２の一般決定がなされる確率と前記第１の特別決定がなされる確率と前記第３の特別決定がなされる確率との合算確率の比率が、前記許容段階設定手段により設定された許容段階が前記複数種類の許容段階のうち第１の許容段階であるか、該第１の許容段階と有利度の異なる第２の許容段階であるか、に応じて異なる確率で前記第１〜４の特別決定を行い、
前記導出制御手段は、
前記第１の一般決定、前記第２の特別決定または前記第４の特別決定がなされた第１の条件が成立したときに、前記導出操作手段が操作され、該導出操作手段に対応する可変表示領域において前記予め定められた引込範囲内に前記複数の可変表示領域に跨って設定された複数のラインのうち第１のラインに特定の図柄組み合わせの構成図柄が停止する第１の表示位置及び前記複数のラインのうち第２のラインに前記特定の図柄組み合わせの構成図柄が停止する第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第１の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行い、
前記第２の一般決定、前記第１の特別決定または前記第３の特別決定がなされた第２の条件が成立したときに、前記導出操作手段が操作され、該導出操作手段に対応する可変表示領域において前記予め定められた引込範囲内に前記第１の表示位置及び前記第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第２の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行う
ことを特徴とするスロットマシン。
【請求項４】
各々が識別可能な複数種類の図柄を周期的に移動させることにより変動表示可能な複数の可変表示領域のそれぞれに表示結果を導出表示させることが可能な可変表示装置を備え、
遊技用価値を用いて１ゲームに対して所定数の賭数を設定することによりゲームが開始可能となるとともに、前記複数の可変表示領域の全てに表示結果が導出表示されたことにより１ゲームが終了し、前記複数の可変表示領域に導出表示された表示結果の組み合わせに応じて入賞が発生可能とされたスロットマシンであって、
所定の設定操作手段の操作に基づいて、遊技者にとっての有利度が異なる複数種類の許容段階のうちから、いずれかの許容段階を選択して設定する許容段階設定手段と、
少なくともいずれかの可変表示領域に表示結果が導出される前に、遊技者にとって有利な特別遊技状態への移行を伴う特別入賞及び該特別入賞以外の一般入賞を含む複数種類の入賞について発生を許容するか否かを決定する事前決定手段と、
前記複数の可変表示領域に表示結果をそれぞれ導出させるための導出操作手段と、
前記特別入賞のうちの第１の特別入賞が発生したときに第１の特別遊技状態に制御するとともに、前記第１の特別入賞とは異なる第２の特別入賞が発生したときに前記第１の特別遊技状態と有利度の異なる第２の特別遊技状態に制御する特別遊技状態制御手段と、
前記導出操作手段が操作されたときに、該導出操作手段に対応する可変表示領域の表示結果として予め定められた引込範囲内に位置する表示位置からいずれかの表示位置を前記事前決定手段の決定結果に基づいて導出させる制御を行う導出制御手段と、
前記特別入賞の発生を許容する旨が決定され、該特別入賞が発生しなかった場合に当該特別入賞の発生を許容する旨の決定を次ゲーム以降に持ち越す持越手段と、
を備え、
前記事前決定手段は、
同一ゲームにおける決定対象として、前記一般入賞のうち第１の一般入賞の発生を許容する旨を単独で決定する第１の一般決定、及び前記第１の一般入賞の発生を許容する旨及び前記第１の一般入賞と異なる第２の一般入賞の発生を許容する旨を同時に決定する第２の一般決定、前記第１の一般入賞の発生を許容する旨及び前記第１の特別入賞の発生を許容する旨を同時に決定する第１の特別決定、前記第１の一般入賞の発生を許容する旨、前記第２の一般入賞の発生を許容する旨及び前記第１の特別入賞の発生を許容する旨を同時に決定する第２の特別決定、前記第１の一般入賞の発生を許容する旨及び前記第２の特別入賞の発生を許容する旨を同時に決定する第３の特別決定、前記第１の一般入賞の発生を許容する旨、前記第２の一般入賞の発生を許容する旨及び前記第２の特別入賞の発生を許容する旨を同時に決定する第４の特別決定を行うことが可能であり、
同一ゲームにおいて前記第１の一般決定がなされる確率と前記第２の特別決定がなされる確率と前記第３の特別決定がなされる確率との合算確率に占める前記第２の特別決定がなされる確率と前記第３の特別決定がなされる確率との合算確率の比率、同一ゲームにおいて前記第２の一般決定がなされる確率と前記第１の特別決定がなされる確率と前記第４の特別決定がなされる確率との合算確率に占める前記第１の特別決定がなされる確率と前記第４の特別決定がなされる確率との合算確率の比率のうち一方が他方の比率よりも高く、同一ゲームにおいて前記第２の特別決定がなされる確率と前記第３の特別決定がなされる確率との合算確率に占める前記第３の特別決定がなされる確率の比率、同一ゲームにおいて前記第１の特別決定がなされる確率と前記第４の特別決定がなされる確率との合算確率に占める前記第４の特別決定がなされる確率の比率のうち一方が他方の比率よりも高く、同一ゲームにおいて前記第１の一般決定がなされる確率と前記第２の一般決定がなされる確率と前記第１の特別決定がなされる確率と前記第２の特別決定がなされる確率と前記第３の特別決定がなされる確率と前記第４の特別決定がなされる確率との合算確率に占める前記第２の一般決定がなされる確率と前記第１の特別決定がなされる確率と前記第４の特別決定がなされる確率との合算確率の比率が、前記許容段階設定手段により設定された許容段階が前記複数種類の許容段階のうち第１の許容段階であるか、該第１の許容段階と有利度の異なる第２の許容段階であるか、に応じて異なる確率で前記第１〜４の特別決定を行い、
前記導出制御手段は、
前記第１の一般決定、前記第２の特別決定または前記第３の特別決定がなされた第１の条件が成立したときに、前記導出操作手段が操作され、該導出操作手段に対応する可変表示領域において前記予め定められた引込範囲内に前記複数の可変表示領域に跨って設定された複数のラインのうち第１のラインに特定の図柄組み合わせの構成図柄が停止する第１の表示位置及び前記複数のラインのうち第２のラインに前記特定の図柄組み合わせの構成図柄が停止する第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第１の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行い、
前記第２の一般決定、前記第１の特別決定または前記第４の特別決定がなされた第２の条件が成立したときに、前記導出操作手段が操作され、該導出操作手段に対応する可変表示領域において前記予め定められた引込範囲内に前記第１の表示位置及び前記第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第２の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行う
ことを特徴とするスロットマシン。
【請求項５】
前記事前決定手段の決定結果に応じて複数種類の演出からいずれかの種類の演出を選択する演出種類選択手段と、
前記演出種類選択手段にて選択された種類の演出を実行する演出実行手段と、
を備え、
前記演出種類選択手段は、前記第１の条件が成立しているときと、前記第２の条件が成立しているときと、で異なる選択比率にて前記演出の種類を選択する
ことを特徴とする請求項１〜４のいずれかに記載のスロットマシン。
【請求項６】
前記事前決定手段の決定結果に応じて複数の異なるタイミングからいずれかのタイミングを演出開始タイミングとして選択する演出開始タイミング選択手段と、
前記演出開始タイミング選択手段にて選択されたタイミングで演出を開始させる演出開始手段と、
を備え、
前記演出開始タイミング選択手段は、前記第１の条件が成立しているときと、前記第２の条件が成立しているときと、で異なる選択比率にて前記演出開始タイミングを選択する
ことを特徴とする請求項１〜５のいずれかに記載のスロットマシン。
【請求項７】
前記事前決定手段は、前記第１の一般入賞の発生を許容する旨を単独で決定する第１の一般決定、及び前記第１の一般入賞の発生を許容する旨及び前記第１の一般入賞と異なる第２の一般入賞の発生を許容する旨を同時に決定する第２の一般決定を行うことが可能であり、
前記スロットマシンは、
前記第１、２の一般決定、前記第１〜４の特別決定のいずれかがなされたときに、２以上の所定ゲーム数にわたる演出内容を決定する連続演出内容決定手段と、
前記第１、２の一般決定、前記第１〜４の特別決定のいずれかがなされた後、前記所定ゲーム数にわたり前記連続演出内容決定手段にて決定された演出内容に基づく連続演出を実行する連続演出実行手段と、
前記連続演出が開始した後、前記所定ゲーム数に到達する前に新たに前記第１、２の一般決定、前記第１〜４の特別決定のいずれかがなされたときに残りの演出内容を変更する演出内容変更手段と、
をさらに備える
ことを特徴とする請求項１〜６のいずれかに記載のスロットマシン。
【手続補正２】
【補正対象書類名】明細書
【補正対象項目名】０００８
【補正方法】変更
【補正の内容】
【０００８】
上記課題を解決するために、本発明の請求項１に記載のスロットマシンは、
各々が識別可能な複数種類の図柄を周期的に移動させることにより変動表示可能な複数の可変表示領域（リール２Ｌ、２Ｃ、２Ｒの表示領域）のそれぞれに表示結果を導出表示させることが可能な可変表示装置を備え、
遊技用価値を用いて１ゲームに対して所定数の賭数を設定することによりゲームが開始可能となるとともに、前記複数の可変表示領域（リール２Ｌ、２Ｃ、２Ｒの表示領域）の全てに表示結果が導出表示されたことにより１ゲームが終了し、前記複数の可変表示領域に導出表示された表示結果の組み合わせに応じて入賞が発生可能とされたスロットマシン（スロットマシン１）であって、
所定の設定操作手段（設定キースイッチ３７のみがＯＮの状態での起動）の操作に基づいて、遊技者にとっての有利度が異なる複数種類の許容段階（１〜６）のうちから、いずれかの許容段階（設定値）を選択して設定する許容段階設定手段と、
少なくともいずれかの可変表示領域に表示結果が導出される前に、遊技者にとって有利な特別遊技状態（ＢＢ）への移行を伴う特別入賞（ＢＢ（１）〜（４））及び該特別入賞以外の一般入賞（小役、再遊技役）を含む複数種類の入賞について発生を許容するか否かを決定する事前決定手段（内部抽選）と、
前記複数の可変表示領域に表示結果をそれぞれ導出させるための導出操作手段と、
前記特別入賞（ＢＢ（１）〜（４））のうちの第１の特別入賞（ＢＢ（１））が発生したときに第１の特別遊技状態（ＢＢ（１））に制御するとともに、前記第１の特別入賞（ＢＢ（１））とは異なる第２の特別入賞（ＢＢ（２））が発生したときに前記第１の特別遊技状態（ＢＢ（１））と有利度の異なる第２の特別遊技状態（ＢＢ（２））に制御する特別遊技状態制御手段と、
前記導出操作手段が操作されたときに、該導出操作手段に対応する可変表示領域の表示結果として予め定められた引込範囲内に位置する表示位置からいずれかの表示位置を前記事前決定手段の決定結果に基づいて導出させる制御を行う導出制御手段と、
前記特別入賞の発生を許容する旨が決定され、該特別入賞が発生しなかった場合に当該特別入賞の発生を許容する旨の決定を次ゲーム以降に持ち越す持越手段と、
を備え、
前記事前決定手段は、
同一ゲームにおける決定対象として、前記一般入賞のうち第１の一般入賞の発生を許容する旨を単独で決定する第１の一般決定（スイカ）、及び前記第１の一般入賞の発生を許容する旨及び前記第１の一般入賞と異なる第２の一般入賞の発生を許容する旨を同時に決定する第２の一般決定（スイカ＋１枚）、前記第１の一般入賞の発生を許容する旨及び前記第１の特別入賞の発生を許容する旨を同時に決定する第１の特別決定（ＢＢ（１）＋スイカ）、前記第１の一般入賞の発生を許容する旨、前記第２の一般入賞の発生を許容する旨及び前記第１の特別入賞の発生を許容する旨を同時に決定する第２の特別決定（ＢＢ（１）＋スイカ＋１枚）、前記第１の一般入賞の発生を許容する旨及び前記第２の特別入賞の発生を許容する旨を同時に決定する第３の特別決定（ＢＢ（２）＋スイカ）、前記第１の一般入賞の発生を許容する旨、前記第２の一般入賞の発生を許容する旨及び前記第２の特別入賞の発生を許容する旨を同時に決定する第４の特別決定（ＢＢ（２）＋スイカ＋１枚）を行うことが可能であり、
同一ゲームにおいて前記第１の一般決定（スイカ）がなされる確率と前記第１の特別決定（ＢＢ（１）＋スイカ）がなされる確率と前記第３の特別決定（ＢＢ（２）＋スイカ）がなされる確率との合算確率に占める前記第１の特別決定（ＢＢ（１）＋スイカ）がなされる確率と前記第３の特別決定（ＢＢ（２）＋スイカ）がなされる確率との合算確率の比率、同一ゲームにおいて前記第２の一般決定（スイカ＋１枚）がなされる確率と前記第２の特別決定（ＢＢ（１）＋スイカ＋１枚）がなされる確率と前記第４の特別決定（ＢＢ（２）＋スイカ＋１枚）がなされる確率との合算確率に占める前記第２の特別決定（ＢＢ（１）＋スイカ＋１枚）がなされる確率と前記第４の特別決定（ＢＢ（２）＋スイカ＋１枚）がなされる確率との合算確率の比率のうち一方が他方の比率よりも高く、同一ゲームにおいて前記第１の特別決定（ＢＢ（１）＋スイカ）がなされる確率と前記第３の特別決定（ＢＢ（２）＋スイカ）がなされる確率との合算確率に占める前記第３の特別決定（ＢＢ（２）＋スイカ）がなされる確率の比率、同一ゲームにおいて前記第２の特別決定（ＢＢ（１）＋スイカ＋１枚）がなされる確率と前記第４の特別決定（ＢＢ（２）＋スイカ＋１枚）がなされる確率との合算確率に占める前記第４の特別決定（ＢＢ（２）＋スイカ＋１枚）がなされる確率の比率のうち一方が他方の比率よりも高く、同一ゲームにおいて前記第１の一般決定（スイカ）がなされる確率と前記第２の一般決定（スイカ＋１枚）がなされる確率と前記第１の特別決定（ＢＢ（１）＋スイカ）がなされる確率と前記第２の特別決定（ＢＢ（１）＋スイカ＋１枚）がなされる確率と前記第３の特別決定（ＢＢ（２）＋スイカ）がなされる確率と前記第４の特別決定（ＢＢ（２）＋スイカ＋１枚）がなされる確率との合算確率に占める前記第２の一般決定（スイカ＋１枚）がなされる確率と前記第２の特別決定（ＢＢ（１）＋スイカ＋１枚）がなされる確率と前記第４の特別決定（ＢＢ（２）＋スイカ＋１枚）がなされる確率との合算確率の比率が、前記許容段階設定手段により設定された許容段階（設定値）が前記複数種類の許容段階（１〜６）のうち第１の許容段階（１〜３）であるか、該第１の許容段階と有利度の異なる第２の許容段階（４〜６）であるか、に応じて異なる確率で前記第１、２の一般決定、前記第１〜４の特別決定を行い、
前記導出制御手段は、
前記第１の一般決定（スイカ）、前記第１の特別決定（ＢＢ（１）＋スイカ）または前記第３の特別決定（ＢＢ（２）＋スイカ）がなされた第１の条件が成立したときに、前記導出操作手段が操作され、該導出操作手段に対応する可変表示領域において前記予め定められた引込範囲内に前記複数の可変表示領域に跨って設定された複数のラインのうち第１のラインに特定の図柄組み合わせの構成図柄が停止する第１の表示位置及び前記複数のラインのうち第２のラインに前記特定の図柄組み合わせの構成図柄が停止する第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第１の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行い、
前記第２の一般決定（スイカ＋１枚）、前記第２の特別決定（ＢＢ（１）＋スイカ＋１枚）または前記第４の特別決定（ＢＢ（２）＋スイカ＋１枚）がなされた第２の条件が成立したときに、前記導出操作手段が操作され、該導出操作手段に対応する可変表示領域において前記予め定められた引込範囲内に前記第１の表示位置及び前記第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第２の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行う
ことを特徴としている。
この特徴によれば、第１の一般決定、第１の特別決定または第３の特別決定がなされている場合には、第１のラインに特定の図柄組み合わせが導出される可能性が高く、第２の一般決定、第２の特別決定または第４の特別決定がなされている場合には、第２のラインに特定の図柄組み合わせが導出される可能性が高い。すなわち第１の一般決定、第１の特別決定または第３の特別決定がなされている場合に特定の図柄組み合わせが停止した場合と、第２の一般決定、第２の特別決定または第４の特別決定がなされている場合に特定の図柄組み合わせが停止した場合と、で特定の図柄組み合わせが導出されやすいラインが異なる。
そして、第１の一般決定がなされる確率と第１の特別決定がなされる確率と第３の特別決定がなされる確率との合算確率に占める第１の特別決定がなされる確率と第３の特別決定がなされる確率との合算確率の比率と、第２の一般決定がなされる確率と第２の特別決定がなされる確率と第４の特別決定がなされる確率との合算確率に占める第２の特別決定がなされる確率と第４の特別決定がなされる確率との合算確率の比率と、が異なるため、第１の一般入賞が発生した際に、特定の図柄組み合わせが導出されたラインによって特別入賞の発生が許容されていることに対する期待度に変化を持たせることができる。さらに、第１のラインに特定の図柄組み合わせが導出された場合にも、第２のラインに特定の図柄組み合わせが導出された場合にも、ともに特別入賞の発生が許容されている可能性が示唆されるが、特定の図柄組み合わせが導出されたラインから特別入賞の発生が許容されているか否かを判別することは不可能であり、特定の図柄組み合わせがいずれのラインに導出された場合でも、特別入賞の発生が許容されていることに対する遊技者の期待感が損なわれてしまうことがない。
また、第１の特別決定がなされる確率と第３の特別決定がなされる確率との合算確率に占める第３の特別決定がなされる確率の比率と、第２の特別決定がなされる確率と第４の特別決定がなされる確率との合算確率に占める第４の特別決定がなされる確率の比率と、が異なり、第１のラインに特定の図柄組み合わせが導出された場合と、第２のラインに特定の図柄組み合わせが導出された場合と、で第１の特別入賞または第２の特別入賞のいずれかが許容されている場合に、第１の特別入賞の発生が許容されている比率と第２の特別入賞の発生が許容されている比率と、が異なるため、特定の図柄組み合わせが停止した際に、その後移行する特別遊技状態の有利度の異なる第１の特別入賞及び第２の特別入賞のどちらが許容されているかについての期待度を変化させることができる。さらに、特定の図柄組み合わせが導出されたラインから第１の特別入賞の発生が許容されているのか、第２の特別入賞の発生が許容されているのか、を判別することは不可能であり、特定の図柄組み合わせがいずれのラインに導出された場合でも、第１の特別入賞及び第２の特別入賞のうちより有利度の高い特別入賞の発生が許容されていることに対する遊技者の期待感が損なわれてしまうことがない。
また、第１の一般決定がなされる確率と第２の一般決定がなされる確率と第１の特別決定がなされる確率と第２の特別決定がなされる確率と第３の特別決定がなされる確率と第４の特別決定がなされる確率との合算確率に占める第２の一般決定がなされる確率と第２の特別決定がなされる確率と第４の特別決定がなされる確率との合算確率の比率が、複数種類の許容段階のうち第１の許容段階であるか、該第１の許容段階と有利度の異なる第２の許容段階であるか、に応じて異なり、第１のラインに特定の図柄組み合わせが導出された場合と、第２のラインに特定の図柄組み合わせが導出された場合と、で第１の許容段階が設定されている比率と、第１の許容段階とは有利度が異なる第２の許容段階のうちの一方の許容段階が設定されている比率と、が異なるため、特定の図柄組み合わせが停止した際に、許容段階設定手段により設定されている許容段階を推測することができる。さらに、特定の図柄組み合わせが導出されたラインから第１の許容段階が設定されているのか、第２の許容段階が設定されているのか、を判別することは不可能であり、特定の図柄組み合わせがいずれのラインに導出された場合でも、第１の許容段階及び第２の許容段階のうちより有利度の高い許容段階が設定されていることに対する遊技者の期待感が損なわれてしまうことがない。
【手続補正３】
【補正対象書類名】明細書
【補正対象項目名】０００９
【補正方法】変更
【補正の内容】
【０００９】
本発明の請求項２に記載のスロットマシンは、
各々が識別可能な複数種類の図柄を周期的に移動させることにより変動表示可能な複数の可変表示領域（リール２Ｌ、２Ｃ、２Ｒの表示領域）のそれぞれに表示結果を導出表示させることが可能な可変表示装置を備え、
遊技用価値を用いて１ゲームに対して所定数の賭数を設定することによりゲームが開始可能となるとともに、前記複数の可変表示領域（リール２Ｌ、２Ｃ、２Ｒの表示領域）の全てに表示結果が導出表示されたことにより１ゲームが終了し、前記複数の可変表示領域に導出表示された表示結果の組み合わせに応じて入賞が発生可能とされたスロットマシン（スロットマシン１）であって、
所定の設定操作手段（設定キースイッチ３７のみがＯＮの状態での起動）の操作に基づいて、遊技者にとっての有利度が異なる複数種類の許容段階（１〜６）のうちから、いずれかの許容段階（設定値）を選択して設定する許容段階設定手段と、
少なくともいずれかの可変表示領域に表示結果が導出される前に、遊技者にとって有利な特別遊技状態（ＢＢ）への移行を伴う特別入賞（ＢＢ（１）〜（４））及び該特別入賞以外の一般入賞（小役、再遊技役）を含む複数種類の入賞について発生を許容するか否かを決定する事前決定手段（内部抽選）と、
前記複数の可変表示領域に表示結果をそれぞれ導出させるための導出操作手段と、
前記特別入賞（ＢＢ（１）〜（４））のうちの第１の特別入賞（ＢＢ（１））が発生したときに第１の特別遊技状態（ＢＢ（１））に制御するとともに、前記第１の特別入賞（ＢＢ（１））とは異なる第２の特別入賞（ＢＢ（２））が発生したときに前記第１の特別遊技状態（ＢＢ（１））と有利度の異なる第２の特別遊技状態（ＢＢ（２））に制御する特別遊技状態制御手段と、
前記導出操作手段が操作されたときに、該導出操作手段に対応する可変表示領域の表示結果として予め定められた引込範囲内に位置する表示位置からいずれかの表示位置を前記事前決定手段の決定結果に基づいて導出させる制御を行う導出制御手段と、
前記特別入賞の発生を許容する旨が決定され、該特別入賞が発生しなかった場合に当該特別入賞の発生を許容する旨の決定を次ゲーム以降に持ち越す持越手段と、
を備え、
前記事前決定手段は、
同一ゲームにおける決定対象として、前記一般入賞のうち第１の一般入賞の発生を許容する旨を単独で決定する第１の一般決定（スイカ）、及び前記第１の一般入賞の発生を許容する旨及び前記第１の一般入賞と異なる第２の一般入賞の発生を許容する旨を同時に決定する第２の一般決定（スイカ＋１枚）、前記第１の一般入賞の発生を許容する旨及び前記第１の特別入賞の発生を許容する旨を同時に決定する第１の特別決定（ＢＢ（１）＋スイカ）、前記第１の一般入賞の発生を許容する旨、前記第２の一般入賞の発生を許容する旨及び前記第１の特別入賞の発生を許容する旨を同時に決定する第２の特別決定（ＢＢ（１）＋スイカ＋１枚）、前記第１の一般入賞の発生を許容する旨及び前記第２の特別入賞の発生を許容する旨を同時に決定する第３の特別決定（ＢＢ（２）＋スイカ）、前記第１の一般入賞の発生を許容する旨、前記第２の一般入賞の発生を許容する旨及び前記第２の特別入賞の発生を許容する旨を同時に決定する第４の特別決定（ＢＢ（２）＋スイカ＋１枚）を行うことが可能であり、
同一ゲームにおいて前記第１の一般決定（スイカ）がなされる確率と前記第１の特別決定（ＢＢ（１）＋スイカ）がなされる確率と前記第４の特別決定（ＢＢ（２）＋スイカ＋１枚）がなされる確率との合算確率に占める前記第１の特別決定（ＢＢ（１）＋スイカ）がなされる確率と前記第４の特別決定（ＢＢ（２）＋スイカ＋１枚）がなされる確率との合算確率の比率、同一ゲームにおいて前記第２の一般決定（スイカ＋１枚）がなされる確率と前記第２の特別決定（ＢＢ（１）＋スイカ＋１枚）がなされる確率と前記第３の特別決定（ＢＢ（２）＋スイカ）がなされる確率との合算確率に占める前記第２の特別決定（ＢＢ（１）＋スイカ＋１枚）がなされる確率と前記第３の特別決定（ＢＢ（２）＋スイカ）がなされる確率との合算確率の比率のうち一方が他方の比率よりも高く、同一ゲームにおいて前記第１の特別決定（ＢＢ（１）＋スイカ）がなされる確率と前記第４の特別決定（ＢＢ（２）＋スイカ＋１枚）がなされる確率との合算確率に占める前記第４の特別決定（ＢＢ（２）＋スイカ＋１枚）がなされる確率の比率、同一ゲームにおいて前記第２の特別決定（ＢＢ（１）＋スイカ＋１枚）がなされる確率と前記第３の特別決定（ＢＢ（２）＋スイカ）がなされる確率との合算確率に占める前記第３の特別決定（ＢＢ（２）＋スイカ）がなされる確率の比率のうち一方が他方の比率よりも高く、同一ゲームにおいて前記第１の一般決定（スイカ）がなされる確率と前記第２の一般決定（スイカ＋１枚）がなされる確率と前記第１の特別決定（ＢＢ（１）＋スイカ）がなされる確率と前記第２の特別決定（ＢＢ（１）＋スイカ＋１枚）がなされる確率と前記第３の特別決定（ＢＢ（２）＋スイカ）がなされる確率と前記第４の特別決定（ＢＢ（２）＋スイカ＋１枚）がなされる確率との合算確率に占める前記第２の一般決定（スイカ＋１枚）がなされる確率と前記第２の特別決定（ＢＢ（１）＋スイカ＋１枚）がなされる確率と前記第３の特別決定（ＢＢ（２）＋スイカ）がなされる確率との合算確率の比率が、前記許容段階設定手段により設定された許容段階（設定値）が前記複数種類の許容段階（１〜６）のうち第１の許容段階（１〜３）であるか、該第１の許容段階と有利度の異なる第２の許容段階（４〜６）であるか、に応じて異なる確率で前記第１、２の一般決定、前記第１〜４の特別決定を行い、
前記導出制御手段は、
前記第１の一般決定（スイカ）、前記第１の特別決定（ＢＢ（１）＋スイカ）または前記第４の特別決定（ＢＢ（２）＋スイカ＋１枚）がなされた第１の条件が成立したときに、前記導出操作手段が操作され、該導出操作手段に対応する可変表示領域において前記予め定められた引込範囲内に前記複数の可変表示領域に跨って設定された複数のラインのうち第１のラインに特定の図柄組み合わせの構成図柄が停止する第１の表示位置及び前記複数のラインのうち第２のラインに前記特定の図柄組み合わせの構成図柄が停止する第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第１の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行い、
前記第２の一般決定（スイカ＋１枚）、前記第２の特別決定（ＢＢ（１）＋スイカ＋１枚）または前記第３の特別決定（ＢＢ（２）＋スイカ）がなされた第２の条件が成立したときに、前記導出操作手段が操作され、該導出操作手段に対応する可変表示領域において前記予め定められた引込範囲内に前記第１の表示位置及び前記第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第２の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行う
ことを特徴としている。
この特徴によれば、第１の一般決定、第１の特別決定または第４の特別決定がなされている場合には、第１のラインに特定の図柄組み合わせが導出される可能性が高く、第２の一般決定、第２の特別決定または第３の特別決定がなされている場合には、第２のラインに特定の図柄組み合わせが導出される可能性が高い。すなわち第１の一般決定、第１の特別決定または第４の特別決定がなされている場合に特定の図柄組み合わせが停止した場合と、第２の一般決定、第２の特別決定または第３の特別決定がなされている場合に特定の図柄組み合わせが停止した場合と、で特定の図柄組み合わせが導出されやすいラインが異なる。
そして、第１の一般決定がなされる確率と第１の特別決定がなされる確率と第４の特別決定がなされる確率との合算確率に占める第１の特別決定がなされる確率と第４の特別決定がなされる確率との合算確率の比率と、第２の一般決定がなされる確率と第２の特別決定がなされる確率と第３の特別決定がなされる確率との合算確率に占める第２の特別決定がなされる確率と第３の特別決定がなされる確率との合算確率の比率と、が異なるため、特定の図柄組み合わせが停止した際に、特定の図柄組み合わせが導出されたラインによって特別入賞の発生が許容されていることに対する期待度に変化を持たせることができる。さらに、第１のラインに特定の図柄組み合わせが導出された場合にも、第２のラインに特定の図柄組み合わせが導出された場合にも、ともに特別入賞の発生が許容されている可能性が示唆されるが、特定の図柄組み合わせが導出されたラインから特別入賞の発生が許容されているか否かを判別することは不可能であり、特定の図柄組み合わせがいずれのラインに導出された場合でも、特別入賞の発生が許容されていることに対する遊技者の期待感が損なわれてしまうことがない。
また、第１の特別決定がなされる確率と第４の特別決定がなされる確率との合算確率に占める第４の特別決定がなされる確率の比率と、第２の特別決定がなされる確率と第３の特別決定がなされる確率との合算確率に占める第３の特別決定がなされる確率の比率と、が異なり、第１のラインに特定の図柄組み合わせが導出された場合と、第２のラインに特定の図柄組み合わせが導出された場合と、で第１の特別入賞または第２の特別入賞のいずれかが許容されている場合に、第１の特別入賞の発生が許容されている比率と第２の特別入賞の発生が許容されている比率と、が異なるため、特定の図柄組み合わせが停止した際に、その後移行する特別遊技状態の有利度の異なる第１の特別入賞及び第２の特別入賞のどちらが許容されているかについての期待度を変化させることができる。さらに、特定の図柄組み合わせが導出されたラインから第１の特別入賞の発生が許容されているのか、第２の特別入賞の発生が許容されているのか、を判別することは不可能であり、特定の図柄組み合わせがいずれのラインに導出された場合でも、第１の特別入賞及び第２の特別入賞のうちより有利度の高い特別入賞の発生が許容されていることに対する遊技者の期待感が損なわれてしまうことがない。
また、第１の一般決定がなされる確率と第２の一般決定がなされる確率と第１の特別決定がなされる確率と第２の特別決定がなされる確率と第３の特別決定がなされる確率と第４の特別決定がなされる確率との合算確率に占める第２の一般決定がなされる確率と第２の特別決定がなされる確率と第３の特別決定がなされる確率との合算確率の比率が、複数種類の許容段階のうち第１の許容段階であるか、該第１の許容段階と有利度の異なる第２の許容段階であるか、に応じて異なり、第１のラインに特定の図柄組み合わせが導出された場合と、第２のラインに特定の図柄組み合わせが導出された場合と、で第１の許容段階が設定されている比率と、第１の許容段階とは有利度が異なる第２の許容段階のうちの一方の許容段階が設定されている比率と、が異なるため、特定の図柄組み合わせが停止した際に、許容段階設定手段により設定されている許容段階を推測することができる。さらに、特定の図柄組み合わせが導出されたラインから第１の許容段階が設定されているのか、第２の許容段階が設定されているのか、を判別することは不可能であり、特定の図柄組み合わせがいずれのラインに導出された場合でも、第１の許容段階及び第２の許容段階のうちより有利度の高い許容段階が設定されていることに対する遊技者の期待感が損なわれてしまうことがない。
【手続補正４】
【補正対象書類名】明細書
【補正対象項目名】００１０
【補正方法】変更
【補正の内容】
【００１０】
本発明の請求項３に記載のスロットマシンは、
各々が識別可能な複数種類の図柄を周期的に移動させることにより変動表示可能な複数の可変表示領域（リール２Ｌ、２Ｃ、２Ｒの表示領域）のそれぞれに表示結果を導出表示させることが可能な可変表示装置を備え、
遊技用価値を用いて１ゲームに対して所定数の賭数を設定することによりゲームが開始可能となるとともに、前記複数の可変表示領域（リール２Ｌ、２Ｃ、２Ｒの表示領域）の全てに表示結果が導出表示されたことにより１ゲームが終了し、前記複数の可変表示領域に導出表示された表示結果の組み合わせに応じて入賞が発生可能とされたスロットマシン（スロットマシン１）であって、
所定の設定操作手段（設定キースイッチ３７のみがＯＮの状態での起動）の操作に基づいて、遊技者にとっての有利度が異なる複数種類の許容段階（１〜６）のうちから、いずれかの許容段階（設定値）を選択して設定する許容段階設定手段と、
少なくともいずれかの可変表示領域に表示結果が導出される前に、遊技者にとって有利な特別遊技状態（ＢＢ）への移行を伴う特別入賞（ＢＢ（１）〜（４））及び該特別入賞以外の一般入賞（小役、再遊技役）を含む複数種類の入賞について発生を許容するか否かを決定する事前決定手段（内部抽選）と、
前記複数の可変表示領域に表示結果をそれぞれ導出させるための導出操作手段と、
前記特別入賞（ＢＢ（１）〜（４））のうちの第１の特別入賞（ＢＢ（１））が発生したときに第１の特別遊技状態（ＢＢ（１））に制御するとともに、前記第１の特別入賞（ＢＢ（１））とは異なる第２の特別入賞（ＢＢ（２））が発生したときに前記第１の特別遊技状態（ＢＢ（１））と有利度の異なる第２の特別遊技状態（ＢＢ（２））に制御する特別遊技状態制御手段と、
前記導出操作手段が操作されたときに、該導出操作手段に対応する可変表示領域の表示結果として予め定められた引込範囲内に位置する表示位置からいずれかの表示位置を前記事前決定手段の決定結果に基づいて導出させる制御を行う導出制御手段と、
前記特別入賞の発生を許容する旨が決定され、該特別入賞が発生しなかった場合に当該特別入賞の発生を許容する旨の決定を次ゲーム以降に持ち越す持越手段と、
を備え、
前記事前決定手段は、
同一ゲームにおける決定対象として、前記一般入賞のうち第１の一般入賞の発生を許容する旨を単独で決定する第１の一般決定（スイカ）、及び前記第１の一般入賞の発生を許容する旨及び前記第１の一般入賞と異なる第２の一般入賞の発生を許容する旨を同時に決定する第２の一般決定（スイカ＋１枚）、前記第１の一般入賞の発生を許容する旨及び前記第１の特別入賞の発生を許容する旨を同時に決定する第１の特別決定（ＢＢ（１）＋スイカ）、前記第１の一般入賞の発生を許容する旨、前記第２の一般入賞の発生を許容する旨及び前記第１の特別入賞の発生を許容する旨を同時に決定する第２の特別決定（ＢＢ（１）＋スイカ＋１枚）、前記第１の一般入賞の発生を許容する旨及び前記第２の特別入賞の発生を許容する旨を同時に決定する第３の特別決定（ＢＢ（２）＋スイカ）、前記第１の一般入賞の発生を許容する旨、前記第２の一般入賞の発生を許容する旨及び前記第２の特別入賞の発生を許容する旨を同時に決定する第４の特別決定（ＢＢ（２）＋スイカ＋１枚）を行うことが可能であり、
同一ゲームにおいて前記第１の一般決定（スイカ）がなされる確率と前記第２の特別決定（ＢＢ（１）＋スイカ＋１枚）がなされる確率と前記第４の特別決定（ＢＢ（２）＋スイカ＋１枚）がなされる確率との合算確率に占める前記第２の特別決定（ＢＢ（１）＋スイカ＋１枚）がなされる確率と前記第４の特別決定（ＢＢ（２）＋スイカ＋１枚）がなされる確率との合算確率の比率、同一ゲームにおいて前記第２の一般決定（スイカ＋１枚）がなされる確率と前記第１の特別決定（ＢＢ（１）＋スイカ）がなされる確率と前記第３の特別決定（ＢＢ（２）＋スイカ）がなされる確率との合算確率に占める前記第１の特別決定（ＢＢ（１）＋スイカ）がなされる確率と前記第３の特別決定（ＢＢ（２）＋スイカ）がなされる確率との合算確率の比率のうち一方が他方の比率よりも高く、同一ゲームにおいて前記第２の特別決定（ＢＢ（１）＋スイカ＋１枚）がなされる確率と前記第４の特別決定（ＢＢ（２）＋スイカ＋１枚）がなされる確率との合算確率に占める前記第４の特別決定（ＢＢ（２）＋スイカ＋１枚）がなされる確率の比率、同一ゲームにおいて前記第１の特別決定（ＢＢ（１）＋スイカ）がなされる確率と前記第３の特別決定（ＢＢ（２）＋スイカ）がなされる確率との合算確率に占める前記第３の特別決定（ＢＢ（２）＋スイカ）がなされる確率の比率のうち一方が他方の比率よりも高く、同一ゲームにおいて前記第１の一般決定（スイカ）がなされる確率と前記第２の一般決定（スイカ＋１枚）がなされる確率と前記第１の特別決定（ＢＢ（１）＋スイカ）がなされる確率と前記第２の特別決定（ＢＢ（１）＋スイカ＋１枚）がなされる確率と前記第３の特別決定（ＢＢ（２）＋スイカ）がなされる確率と前記第４の特別決定（ＢＢ（２）＋スイカ＋１枚）がなされる確率との合算確率に占める前記第２の一般決定（スイカ＋１枚）がなされる確率と前記第１の特別決定（ＢＢ（１）＋スイカ）がなされる確率と前記第３の特別決定（ＢＢ（２）＋スイカ）がなされる確率との合算確率の比率が、前記許容段階設定手段により設定された許容段階（設定値）が前記複数種類の許容段階（１〜６）のうち第１の許容段階（１〜３）であるか、該第１の許容段階と有利度の異なる第２の許容段階（４〜６）であるか、に応じて異なる確率で前記第１、２の一般決定、前記第１〜４の特別決定を行い、
前記導出制御手段は、
前記第１の一般決定（スイカ）、前記第２の特別決定（ＢＢ（１）＋スイカ＋１枚）または前記第４の特別決定（ＢＢ（２）＋スイカ＋１枚）がなされた第１の条件が成立したときに、前記導出操作手段が操作され、該導出操作手段に対応する可変表示領域において前記予め定められた引込範囲内に前記複数の可変表示領域に跨って設定された複数のラインのうち第１のラインに特定の図柄組み合わせの構成図柄が停止する第１の表示位置及び前記複数のラインのうち第２のラインに前記特定の図柄組み合わせの構成図柄が停止する第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第１の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行い、
前記第２の一般決定（スイカ＋１枚）、前記第１の特別決定（ＢＢ（１）＋スイカ）または前記第３の特別決定（ＢＢ（２）＋スイカ）がなされた第２の条件が成立したときに、前記導出操作手段が操作され、該導出操作手段に対応する可変表示領域において前記予め定められた引込範囲内に前記第１の表示位置及び前記第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第２の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行う
ことを特徴としている。
この特徴によれば、第１の一般決定、第２の特別決定または第４の特別決定がなされている場合には、第１のラインに特定の図柄組み合わせが導出される可能性が高く、第２の一般決定、第１の特別決定または第３の特別決定がなされている場合には、第２のラインに特定の図柄組み合わせが導出される可能性が高い。すなわち第１の一般決定、第２の特別決定または第４の特別決定がなされている場合に特定の図柄組み合わせが停止した場合と、第２の一般決定、第１の特別決定または第３の特別決定がなされている場合に特定の図柄組み合わせが停止した場合と、で特定の図柄組み合わせが導出されやすいラインが異なる。
そして、第１の一般決定がなされる確率と第２の特別決定がなされる確率と第４の特別決定がなされる確率との合算確率に占める第２の特別決定がなされる確率と第４の特別決定がなされる確率との合算確率の比率と、第２の一般決定がなされる確率と第１の特別決定がなされる確率と第３の特別決定がなされる確率との合算確率に占める第１の特別決定がなされる確率と第３の特別決定がなされる確率との合算確率の比率と、が異なるため、特定の図柄組み合わせが停止した際に、特定の図柄組み合わせが導出されたラインによって特別入賞の発生が許容されていることに対する期待度に変化を持たせることができる。さらに、第１のラインに特定の図柄組み合わせが導出された場合にも、第２のラインに特定の図柄組み合わせが導出された場合にも、ともに特別入賞の発生が許容されている可能性が示唆されるが、特定の図柄組み合わせが導出されたラインから特別入賞の発生が許容されているか否かを判別することは不可能であり、特定の図柄組み合わせがいずれのラインに導出された場合でも、特別入賞の発生が許容されていることに対する遊技者の期待感が損なわれてしまうことがない。
また、第２の特別決定がなされる確率と第４の特別決定がなされる確率との合算確率に占める第４の特別決定がなされる確率の比率と、第１の特別決定がなされる確率と第３の特別決定がなされる確率との合算確率に占める第３の特別決定がなされる確率の比率と、が異なり、第１のラインに特定の図柄組み合わせが導出された場合と、第２のラインに特定の図柄組み合わせが導出された場合と、で第１の特別入賞または第２の特別入賞のいずれかが許容されている場合に、第１の特別入賞の発生が許容されている比率と第２の特別入賞の発生が許容されている比率と、が異なるため、特定の図柄組み合わせが停止した際に、その後移行する特別遊技状態の有利度の異なる第１の特別入賞及び第２の特別入賞のどちらが許容されているかについての期待度を変化させることができる。さらに、特定の図柄組み合わせが導出されたラインから第１の特別入賞の発生が許容されているのか、第２の特別入賞の発生が許容されているのか、を判別することは不可能であり、特定の図柄組み合わせがいずれのラインに導出された場合でも、第１の特別入賞及び第２の特別入賞のうちより有利度の高い特別入賞の発生が許容されていることに対する遊技者の期待感が損なわれてしまうことがない。
また、第１の一般決定がなされる確率と第２の一般決定がなされる確率と第１の特別決定がなされる確率と第２の特別決定がなされる確率と第３の特別決定がなされる確率と第４の特別決定がなされる確率との合算確率に占める第２の一般決定がなされる確率と第１の特別決定がなされる確率と第３の特別決定がなされる確率との合算確率の比率が、複数種類の許容段階のうち第１の許容段階であるか、該第１の許容段階と有利度の異なる第２の許容段階であるか、に応じて異なり、第１のラインに特定の図柄組み合わせが導出された場合と、第２のラインに特定の図柄組み合わせが導出された場合と、で第１の許容段階が設定されている比率と、第１の許容段階とは有利度が異なる第２の許容段階のうちの一方の許容段階が設定されている比率と、が異なるため、特定の図柄組み合わせが停止した際に、許容段階設定手段により設定されている許容段階を推測することができる。さらに、特定の図柄組み合わせが導出されたラインから第１の許容段階が設定されているのか、第２の許容段階が設定されているのか、を判別することは不可能であり、特定の図柄組み合わせがいずれのラインに導出された場合でも、第１の許容段階及び第２の許容段階のうちより有利度の高い許容段階が設定されていることに対する遊技者の期待感が損なわれてしまうことがない。
【手続補正５】
【補正対象書類名】明細書
【補正対象項目名】００１１
【補正方法】変更
【補正の内容】
【００１１】
本発明の請求項４に記載のスロットマシンは、
各々が識別可能な複数種類の図柄をを周期的に移動させることにより変動表示可能な複数の可変表示領域（リール２Ｌ、２Ｃ、２Ｒの表示領域）のそれぞれに表示結果を導出表示させることが可能な可変表示装置を備え、
遊技用価値を用いて１ゲームに対して所定数の賭数を設定することによりゲームが開始可能となるとともに、前記複数の可変表示領域（リール２Ｌ、２Ｃ、２Ｒの表示領域）の全てに表示結果が導出表示されたことにより１ゲームが終了し、前記複数の可変表示領域に導出表示された表示結果の組み合わせに応じて入賞が発生可能とされたスロットマシン（スロットマシン１）であって、
所定の設定操作手段（設定キースイッチ３７のみがＯＮの状態での起動）の操作に基づいて、遊技者にとっての有利度が異なる複数種類の許容段階（１〜６）のうちから、いずれかの許容段階（設定値）を選択して設定する許容段階設定手段と、
少なくともいずれかの可変表示領域に表示結果が導出される前に、遊技者にとって有利な特別遊技状態（ＢＢ）への移行を伴う特別入賞（ＢＢ（１）〜（４））及び該特別入賞以外の一般入賞（小役、再遊技役）を含む複数種類の入賞について発生を許容するか否かを決定する事前決定手段（内部抽選）と、
前記複数の可変表示領域に表示結果をそれぞれ導出させるための導出操作手段と、
前記特別入賞（ＢＢ（１）〜（４））のうちの第１の特別入賞（ＢＢ（１））が発生したときに第１の特別遊技状態（ＢＢ（１））に制御するとともに、前記第１の特別入賞（ＢＢ（１））とは異なる第２の特別入賞（ＢＢ（２））が発生したときに前記第１の特別遊技状態（ＢＢ（１））と有利度の異なる第２の特別遊技状態（ＢＢ（２））に制御する特別遊技状態制御手段と、
前記導出操作手段が操作されたときに、該導出操作手段に対応する可変表示領域の表示結果として予め定められた引込範囲内に位置する表示位置からいずれかの表示位置を前記事前決定手段の決定結果に基づいて導出させる制御を行う導出制御手段と、
前記特別入賞の発生を許容する旨が決定され、該特別入賞が発生しなかった場合に当該特別入賞の発生を許容する旨の決定を次ゲーム以降に持ち越す持越手段と、
を備え、
前記事前決定手段は、
同一ゲームにおける決定対象として、前記一般入賞のうち第１の一般入賞の発生を許容する旨を単独で決定する第１の一般決定（スイカ）、及び前記第１の一般入賞の発生を許容する旨及び前記第１の一般入賞と異なる第２の一般入賞の発生を許容する旨を同時に決定する第２の一般決定（スイカ＋１枚）、前記第１の一般入賞の発生を許容する旨及び前記第１の特別入賞の発生を許容する旨を同時に決定する第１の特別決定（ＢＢ（１）＋スイカ）、前記第１の一般入賞の発生を許容する旨、前記第２の一般入賞の発生を許容する旨及び前記第１の特別入賞の発生を許容する旨を同時に決定する第２の特別決定（ＢＢ（１）＋スイカ＋１枚）、前記第１の一般入賞の発生を許容する旨及び前記第２の特別入賞の発生を許容する旨を同時に決定する第３の特別決定（ＢＢ（２）＋スイカ）、前記第１の一般入賞の発生を許容する旨、前記第２の一般入賞の発生を許容する旨及び前記第２の特別入賞の発生を許容する旨を同時に決定する第４の特別決定（ＢＢ（２）＋スイカ＋１枚）を行うことが可能であり、
同一ゲームにおいて前記第１の一般決定（スイカ）がなされる確率と前記第２の特別決定（ＢＢ（１）＋スイカ＋１枚）がなされる確率と前記第３の特別決定（ＢＢ（２）＋スイカ）がなされる確率との合算確率に占める前記第２の特別決定（ＢＢ（１）＋スイカ＋１枚）がなされる確率と前記第３の特別決定（ＢＢ（２）＋スイカ）がなされる確率との合算確率の比率、同一ゲームにおいて前記第２の一般決定（スイカ＋１枚）がなされる確率と前記第１の特別決定（ＢＢ（１）＋スイカ）がなされる確率と前記第４の特別決定（ＢＢ（２）＋スイカ＋１枚）がなされる確率との合算確率に占める前記第１の特別決定（ＢＢ（１）＋スイカ）がなされる確率と前記第４の特別決定（ＢＢ（２）＋スイカ＋１枚）がなされる確率との合算確率の比率のうち一方が他方の比率よりも高く、同一ゲームにおいて前記第２の特別決定（ＢＢ（１）＋スイカ＋１枚）がなされる確率と前記第３の特別決定（ＢＢ（２）＋スイカ）がなされる確率との合算確率に占める前記第３の特別決定（ＢＢ（２）＋スイカ）がなされる確率の比率、同一ゲームにおいて前記第１の特別決定（ＢＢ（１）＋スイカ）がなされる確率と前記第４の特別決定（ＢＢ（２）＋スイカ＋１枚）がなされる確率との合算確率に占める前記第４の特別決定（ＢＢ（２）＋スイカ＋１枚）がなされる確率の比率のうち一方が他方の比率よりも高く、同一ゲームにおいて前記第１の一般決定（スイカ）がなされる確率と前記第２の一般決定（スイカ＋１枚）がなされる確率と前記第１の特別決定（ＢＢ（１）＋スイカ）がなされる確率と前記第２の特別決定（ＢＢ（１）＋スイカ＋１枚）がなされる確率と前記第３の特別決定（ＢＢ（２）＋スイカ）がなされる確率と前記第４の特別決定（ＢＢ（２）＋スイカ＋１枚）がなされる確率との合算確率に占める前記第２の一般決定（スイカ＋１枚）がなされる確率と前記第１の特別決定（ＢＢ（１）＋スイカ）がなされる確率と前記第４の特別決定（ＢＢ（２）＋スイカ＋１枚）がなされる確率との合算確率の比率が、前記許容段階設定手段により設定された許容段階（設定値）が前記複数種類の許容段階（１〜６）のうち第１の許容段階（１〜３）であるか、該第１の許容段階と有利度の異なる第２の許容段階（４〜６）であるか、に応じて異なる確率で前記第１、２の一般決定、前記第１〜４の特別決定を行い、
前記導出制御手段は、
前記第１の一般決定（スイカ）、前記第２の特別決定（ＢＢ（１）＋スイカ＋１枚）または前記第３の特別決定（ＢＢ（２）＋スイカ）がなされた第１の条件が成立したときに、前記導出操作手段が操作され、該導出操作手段に対応する可変表示領域において前記予め定められた引込範囲内に前記複数の可変表示領域に跨って設定された複数のラインのうち第１のラインに特定の図柄組み合わせの構成図柄が停止する第１の表示位置及び前記複数のラインのうち第２のラインに前記特定の図柄組み合わせの構成図柄が停止する第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第１の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行い、
前記第２の一般決定（スイカ＋１枚）、前記第１の特別決定（ＢＢ（１）＋スイカ）または前記第４の特別決定（ＢＢ（２）＋スイカ＋１枚）がなされた第２の条件が成立したときに、前記導出操作手段が操作され、該導出操作手段に対応する可変表示領域において前記予め定められた引込範囲内に前記第１の表示位置及び前記第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第２の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行う
ことを特徴としている。
この特徴によれば、第１の一般決定、第２の特別決定または第３の特別決定がなされている場合には、第１のラインに特定の図柄組み合わせが導出される可能性が高く、第２の一般決定、第１の特別決定または第４の特別決定がなされている場合には、第２のラインに特定の図柄組み合わせが導出される可能性が高い。すなわち第１の一般決定、第２の特別決定または第３の特別決定がなされている場合に特定の図柄組み合わせが停止した場合と、第２の一般決定、第１の特別決定または第４の特別決定がなされている場合に特定の図柄組み合わせが停止した場合と、で特定の図柄組み合わせが導出されやすいラインが異なる。
そして、第１の一般決定がなされる確率と第２の特別決定がなされる確率と第３の特別決定がなされる確率との合算確率に占める第２の特別決定がなされる確率と第３の特別決定がなされる確率との合算確率の比率と、第２の一般決定がなされる確率と第１の特別決定がなされる確率と第４の特別決定がなされる確率との合算確率に占める第１の特別決定がなされる確率と第４の特別決定がなされる確率との合算確率の比率と、が異なるため、特定の図柄組み合わせが停止した際に、特定の図柄組み合わせが導出されたラインによって特別入賞の発生が許容されていることに対する期待度に変化を持たせることができる。さらに、第１のラインに特定の図柄組み合わせが導出された場合にも、第２のラインに特定の図柄組み合わせが導出された場合にも、ともに特別入賞の発生が許容されている可能性が示唆されるが、特定の図柄組み合わせが導出されたラインから特別入賞の発生が許容されているか否かを判別することは不可能であり、特定の図柄組み合わせがいずれのラインに導出された場合でも、特別入賞の発生が許容されていることに対する遊技者の期待感が損なわれてしまうことがない。
また、第２の特別決定がなされる確率と第３の特別決定がなされる確率との合算確率に占める第３の特別決定がなされる確率の比率と、第１の特別決定がなされる確率と第４の特別決定がなされる確率との合算確率に占める第４の特別決定がなされる確率の比率と、が異なり、第１のラインに特定の図柄組み合わせが導出された場合と、第２のラインに特定の図柄組み合わせが導出された場合と、で第１の特別入賞または第２の特別入賞のいずれかが許容されている場合に、第１の特別入賞の発生が許容されている比率と第２の特別入賞の発生が許容されている比率と、が異なるため、特定の図柄組み合わせが停止した際に、その後移行する特別遊技状態の有利度の異なる第１の特別入賞及び第２の特別入賞のどちらが許容されているかについての期待度を変化させることができる。さらに、特定の図柄組み合わせが導出されたラインから第１の特別入賞の発生が許容されているのか、第２の特別入賞の発生が許容されているのか、を判別することは不可能であり、特定の図柄組み合わせがいずれのラインに導出された場合でも、第１の特別入賞及び第２の特別入賞のうちより有利度の高い特別入賞の発生が許容されていることに対する遊技者の期待感が損なわれてしまうことがない。
また、第１の一般決定がなされる確率と第２の一般決定がなされる確率と第１の特別決定がなされる確率と第２の特別決定がなされる確率と第３の特別決定がなされる確率と第４の特別決定がなされる確率との合算確率に占める第２の一般決定がなされる確率と第１の特別決定がなされる確率と第４の特別決定がなされる確率との合算確率の比率が、複数種類の許容段階のうち第１の許容段階であるか、該第１の許容段階と有利度の異なる第２の許容段階であるか、に応じて異なり、第１のラインに特定の図柄組み合わせが導出された場合と、第２のラインに特定の図柄組み合わせが導出された場合と、で第１の許容段階が設定されている比率と、第１の許容段階とは有利度が異なる第２の許容段階のうちの一方の許容段階が設定されている比率と、が異なるため、特定の図柄組み合わせが停止した際に、許容段階設定手段により設定されている許容段階を推測することができる。さらに、特定の図柄組み合わせが導出されたラインから第１の許容段階が設定されているのか、第２の許容段階が設定されているのか、を判別することは不可能であり、特定の図柄組み合わせがいずれのラインに導出された場合でも、第１の許容段階及び第２の許容段階のうちより有利度の高い許容段階が設定されていることに対する遊技者の期待感が損なわれてしまうことがない。
【手続補正６】
【補正対象書類名】明細書
【補正対象項目名】００１２
【補正方法】変更
【補正の内容】
【００１２】
尚、請求項１〜４において所定数の賭数とは、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
また、請求項１〜４において特定の図柄組み合わせを構成する図柄は同種の図柄であっても良いし、異なる図柄であっても良い。すなわち特定の図柄組み合わせは、同種の図柄同士の組み合わせであっても良いし、異なる図柄を含んでいても良い。
また、請求項１〜４において前記第１の特別遊技状態よりも遊技者にとってさらに有利な第２の特別遊技状態とは、第１の特別遊技状態よりも多くの遊技価値の獲得が期待できる特別遊技状態である。
また、請求項１〜４において前記第１の特別遊技状態と有利度の異なる第２の特別遊技状態とは、特別遊技状態において獲得が期待できる遊技用価値の量が第１の特別遊技状態と異なる特別遊技状態であり、また、第２の特別遊技状態は、第１の特別遊技状態よりも有利度の高い特別遊技状態であっても良いし、第１の特別遊技状態よりも有利度の低い特別遊技状態であっても良い。
また、請求項１〜４において第１の許容段階及び第２の許容段階はそれぞれ１種類の許容段階であっても良いし、複数の許容段階であっても良い。また、第２の許容段階は第１の許容段階よりも有利度の低い許容段階であっても良いし、第１の許容段階よりも有利度の高い許容段階であっても良い。
また、請求項１〜４においては、特別入賞の発生が許容されている場合において、第１のライン及び第２のラインのうち、第１の特別入賞及び第２の特別入賞のうちでより有利度の高い特別入賞が許容されている場合で、かつ第１の許容段階及び第２の許容段階のうちより有利度の高い許容段階が設定されている場合に特定の図柄組み合わせが揃いやすいラインに、特定の図柄組み合わせが揃いやすくすることで、特別入賞の発生が許容されている可能性が高く、有利度の高い特別入賞の発生が許容されている可能性が高く、かつ有利度の高い許容段階が設定されている可能性が高い旨を示唆することが可能となり、特定の図柄組み合わせが停止した際に、有利な状態であることに対する遊技者の期待度にメリハリを持たせることができる。
また、請求項１〜４においては、特別入賞が許容されている場合において、第１のライン及び第２のラインのうち、第１の特別入賞及び第２の特別入賞のうちでより有利度の高い特別入賞が許容されている場合、或いは第１の許容段階及び第２の許容段階のうちより有利度の高い許容段階が設定されている場合の少なくともいずれか一方の場合に特定の図柄組み合わせが揃いやすいラインとは異なるラインに、特定の図柄組み合わせが揃いやすくすることで、特別入賞が許容されている可能性が高い旨が示唆されない場合でも、有利度の高い特別入賞の発生が許容されている可能性或いは有利度の高い許容段階が設定されている可能性の少なくとも一方の可能性が高い旨が示唆されることとなり、有利度の高い特別入賞の発生が許容されている可能性或いは有利度の高い許容段階が設定されている可能性の少なくとも一方の可能性が高い旨が示唆されない場合でも、特別入賞が許容されている可能性が高い旨が示唆されることとなるため、一方では不利な可能性が示唆されても他方で有利な可能性を期待させることができる。
また、請求項１〜４においては、第１の特別入賞及び第２の特別入賞のうちでより有利度の高い特別入賞が許容されている場合において、第１のライン及び第２のラインのうち、特別入賞が許容されている場合、或いは第１の許容段階及び第２の許容段階のうちより有利度の高い許容段階が設定されている場合の少なくともいずれか一方の場合に特定の図柄組み合わせが揃いやすいラインとは異なるラインに、特定の図柄組み合わせが揃いやすくすることで、有利度の高い特別入賞が許容されている可能性が高い旨が示唆されない場合でも、特別入賞の発生が許容されている可能性或いは有利度の高い許容段階が設定されている可能性の少なくとも一方の可能性が高い旨が示唆されることとなり、特別入賞の発生が許容されている可能性或いは有利度の高い許容段階が設定されている可能性の少なくとも一方の可能性が高い旨が示唆されない場合でも、有利度の高い特別入賞が許容されている可能性が高い旨が示唆されることとなるため、一方では不利な可能性が示唆されても他方で有利な可能性を期待させることができる。
また、請求項１〜４においては、第１の許容段階及び第２の許容段階のうちより有利度の高い許容段階が設定されている場合において、第１のライン及び第２のラインのうち、特別入賞が許容されている場合、或いは第１の特別入賞及び第２の特別入賞のうちでより有利度の高い特別入賞が許容されている場合の少なくともいずれか一方の場合に特定の図柄組み合わせが揃いやすいラインとは異なるラインに、特定の図柄組み合わせが揃いやすくすることで、有利度の高い許容段階が設定されている可能性が高い旨が示唆されない場合でも、特別入賞の発生が許容されている可能性或いは有利度の高い特別入賞の発生が許容されている可能性の少なくとも一方の可能性が高い旨が示唆されることとなり、特別入賞の発生が許容されている可能性或いは有利度の高い特別入賞の発生が許容されている可能性の少なくとも一方の可能性が高い旨が示唆されない場合でも、有利度の高い許容段階が設定されている可能性が高い旨が示唆されることとなるため、一方では不利な可能性が示唆されても他方で有利な可能性を期待させることができる。
【手続補正７】
【補正対象書類名】明細書
【補正対象項目名】００１３
【補正方法】変更
【補正の内容】
【００１３】
本発明の請求項５に記載のスロットマシンは、請求項１〜４のいずれかに記載のスロットマシンであって、
前記事前決定手段（内部抽選）の決定結果に応じて複数種類の演出（第１の小役告知演出、第２の小役告知演出）からいずれかの種類の演出（小役告知演出）を選択する演出種類選択手段と、
前記演出種類選択手段にて選択された種類の演出（小役告知演出）を実行する演出実行手段と、
を備え、
前記演出種類選択手段は、前記第１の条件が成立しているときと、前記第２の条件が成立しているときと、で異なる選択比率にて前記演出の種類（小役告知演出）を選択する
ことを特徴としている。
この特徴によれば、特定の図柄組み合わせが第１のラインに導出されやすいのか、第２のラインに導出されやすいのか、に応じて、演出の選択比率が異なり、特定の図柄組み合わせが導出されたラインにより示唆される特別入賞が許容されている可能性、第１の特別入賞、第２の特別入賞のうちどちらの特別入賞が許容されているかの可能性、第１の許容段階、第２の許容段階のうちどちらの許容段階が設定されているかの可能性と、演出の種類と、がリンクするため、これら可変表示装置の表示態様と演出によって特別入賞の発生が許容されていること、有利度の高い特別入賞の発生が許容されていること、有利度の高い許容段階が設定されていることに対する遊技者の期待感を相乗的に高めることができる。
【手続補正８】
【補正対象書類名】明細書
【補正対象項目名】００１４
【補正方法】変更
【補正の内容】
【００１４】
本発明の請求項６に記載のスロットマシンは、請求項１〜５のいずれかに記載のスロットマシンであって、
前記事前決定手段（内部抽選）の決定結果に応じて複数の異なるタイミング（ゲーム開始時、第１停止時、第２停止時、第３停止時）からいずれかのタイミングを演出開始タイミングとして選択する演出開始タイミング選択手段と、
前記演出開始タイミング選択手段にて選択されたタイミングで演出（小役告知演出）を開始させる演出開始手段と、
を備え、
前記演出開始タイミング選択手段は、前記第１の条件が成立しているときと、前記第２の条件が成立しているときと、で異なる選択比率にて前記演出開始タイミングを選択する
ことを特徴としている。
この特徴によれば、特定の図柄組み合わせが第１のラインに導出されやすいのか、第２のラインに導出されやすいのか、に応じて、演出の開始タイミングの選択比率が異なり、特定の図柄組み合わせが導出されたラインにより示唆される特別入賞が許容されている可能性、第１の特別入賞、第２の特別入賞のうちどちらの特別入賞が許容されているかの可能性、第１の許容段階、第２の許容段階のうちどちらの許容段階が設定されているかの可能性と、演出の開始タイミングと、がリンクするため、これら可変表示装置の表示態様と演出の開始タイミングによって特別入賞の発生が許容されていること、有利度の高い特別入賞の発生が許容されていること、有利度の高い許容段階が設定されていることに対する遊技者の期待感を相乗的に高めることができる。
【手続補正９】
【補正対象書類名】明細書
【補正対象項目名】００１５
【補正方法】変更
【補正の内容】
【００１５】
本発明の請求項７に記載のスロットマシンは、請求項１〜６のいずれかに記載のスロットマシンであって、
前記第１、２の一般決定、前記第１〜４の特別決定のいずれかがなされたときに、２以上の所定ゲーム数（５ゲーム）にわたる演出内容（演出パターンの組み合わせ）を決定する連続演出内容決定手段と、
前記第１〜４の決定のいずれかがなされた後、前記所定ゲーム数（５ゲーム）にわたり前記連続演出内容決定手段にて決定された演出内容（演出パターン）に基づく連続演出を実行する連続演出実行手段と、
前記連続演出が開始した後、前記所定ゲーム数（５ゲーム）に到達する前に新たに前記第１、２の一般決定、前記第１〜４の特別決定のいずれかがなされたときに残りの演出内容（演出パターン）を変更する演出内容変更手段と、
を備える
ことを特徴としている。
この特徴によれば、特別入賞の発生が許容されている可能性を示す連続演出の終了前に、さらに特別入賞の発生が許容されている可能性がさらに高まる事象が生じた場合には、それに併せて連続演出の演出内容も変化するため、連続演出中に生じた事象に応じて特別入賞の発生に対する遊技者の期待感を効果的に高めることができる。
【手続補正１０】
【補正対象書類名】明細書
【補正対象項目名】００１６
【補正方法】変更
【補正の内容】
【００１６】
本発明の手段１に記載のスロットマシンは、請求項１〜７のいずれかに記載のスロットマシンであって、
ゲームの制御を行う遊技制御手段（メイン制御部４１）を搭載した遊技制御基板（遊技制御基板４０）と、
ゲームの進行に関わる信号を出力する第１の電子部品と遊技の進行に関わる信号が入力される第２の電子部品とのうち少なくとも一方を含む遊技用電子部品（投入メダルセンサ３１）と、
コネクタ（基板側コネクタ６２０ａとケーブル側コネクタ６１０ａ／基板側コネクタ６２１ａとケーブル側コネクタ６１１ａ／基板側コネクタ６２２ｇとケーブル側コネクタ６１２ｇ）同士での接続により着脱可能に前記遊技用電子部品（投入メダルセンサ３１）と前記遊技制御基板（遊技制御基板４０）との間に設けられ、前記遊技用電子部品（投入メダルセンサ３１）と前記遊技制御基板（遊技制御基板４０）とを電気的に接続するための配線（ケーブル６００ａ、６０１ｇ）と、
前記配線とコネクタ（基板側コネクタ６２１ａとケーブル側コネクタ６１１ａ／基板側コネクタ６２２ｇとケーブル側コネクタ６１２ｇ）同士で接続され、前記遊技用電子部品（投入メダルセンサ３１）と前記遊技制御基板（遊技制御基板４０）との間での信号の入出力を中継する中継基板（操作部中継基板１１０）と、
前記遊技用電子部品（投入メダルセンサ３１）と前記遊技制御基板（遊技制御基板４０）との間における前記配線上のコネクタ同士での接続を、該コネクタ同士での接続に関わる解除規制部位を破壊しない限り、解除不能とする接続解除規制状態を形成する電子部品接続解除規制手段（コネクタ規制部材）と、
を備え、
前記電子部品接続解除規制手段は、
前記遊技制御基板（遊技制御基板４０）と前記中継基板（操作部中継基板１１０）との間における前記配線（ケーブル６００ａ）のコネクタ（基板側コネクタ６２０ａとケーブル側コネクタ６１０ａ／基板側コネクタ６２１ａとケーブル側コネクタ６１１ａ）同士での接続を解除不能とする第１の電子部品接続解除規制手段（コネクタ規制部材）と、
前記中継基板（操作部中継基板１１０）と前記遊技用電子部品（投入メダルセンサ３１）との間における前記配線（ケーブル６０１ｇ）のコネクタ（基板側コネクタ６２２ｇとケーブル側コネクタ６１２ｇ）同士での接続を解除不能とする第２の電子部品接続解除規制手段（コネクタ規制部材）と、
を含む
ことを特徴としている。
この特徴によれば、遊技制御基板と中継基板との間における配線のコネクタだけでなく、中継基板と遊技用電子部品との間における配線のコネクタ同士での接続の解除が規制されることで、遊技用電子部品と遊技制御基板との間に設けられる配線の全てのコネクタ同士での接続の解除が規制される。これによりいずれかのコネクタを不正な打ち込み器具等のコネクタに差し替えて接続し、遊技制御基板に遊技の進行に関わる不正な信号を入出力させるといった不正行為を行うことが困難となるため、特別入賞が当選した状態に設定したスロットマシン、特にラインの違いによって有利度の異なる複数種類の特別入賞を判別できる場合には、有利度の高い特別入賞が当選した状態に設定したスロットマシンを、例えば遊技店の営業開始時等において遊技客に提供するといった不正営業の実施等を効果的に防止できる。
また、電子部品接続解除規制手段により接続解除規制状態が形成されることで、コネクタ同士での接続を解除するためには解除規制部位を破壊しなければならず、これにより接続を解除した後に再度接続解除規制状態を形成することが極めて困難となり、かつ、手間がかかるため、上記不正行為をより効果的に抑制することができる。
尚、前記中継基板は、一の遊技用電子部品と遊技制御基板との間に１つ、または複数接続されていても良く、複数の中継基板が接続される場合において、前記電子部品接続解除規制手段は、一の中継基板と他の中継基板との間における前記配線のコネクタ同士での接続を解除不能とする第３の電子部品接続解除規制手段を備えることが好ましく、このようにすることで、遊技用電子部品と遊技制御基板との間に設けられる配線の全てのコネクタ同士での接続の解除が規制される。